(57)【特許請求の範囲】
【請求項１】
Ｕ字形状の複数の触媒ヒータと、前記触媒ヒータにより加熱され複数の孔を有する熱伝導性薄板を複数固定して形成し触媒を担持したフィンと、前記孔に熱伝導性パイプを挿入して、前記熱伝導性パイプ内に装着した触媒ヒータと、前記触媒ヒータのＵ字部分を下方にしてフィンとともに収納するケースと、前記ケースの上下方向に沿って配設された入り口パイプと、前記ケースの上方に設けられた出口パイプとを備え、排ガスは前記入り口パイプの下方側より前記ケース内に流入し、前記ケース内を上昇して、前記出口パイプより排出される構成とし、かつ前記複数の触媒ヒータの通電を切り換え可能とした脱臭装置。
【請求項２】
排ガスの流れに対し上流側のフィンになるほど、触媒ヒータのワット密度を大きくした請求項１に記載の脱臭装置。
【請求項３】
温度検出部を触媒ケースの排気流入部近傍に設けた請求項１または２に記載の脱臭装置。
【請求項４】
生ごみを収納する収納部と、生ごみを加熱する加熱手段を備え、前記収納部と請求項１〜３のいずれか１項に記載の脱臭装置とを連通させた生ごみ処理機。
【発明の詳細な説明】
【０００１】
【発明の属する技術分野】
本発明は、生ごみ処理機等から発生する臭気成分や油煙などを浄化する脱臭装置およびそれを備えた生ごみ処理機に関するものである。
【０００２】
【従来の技術】
従来、生ごみ処理機では、生ごみを加熱することから発生する臭いや油煙を浄化するために、触媒を用いるものがある。従来の生ごみ処理機の一例を図５に示す。図５において、１２１は生ごみ処理機本体、１２２は生ごみを収納する収納部で、ほぼ中央部に回転軸１２３、生ごみを撹拌する撹拌羽根１２４を備えている。収納部１２２の上部に生ごみを加熱する加熱手段１２５が配してある。加熱手段１２５は乾燥用ヒータ１２６及び、乾燥ファン１２７から構成され、熱風を生ごみに当てて生ごみの表面を加熱する。尚、乾燥ファン１２７は乾燥モータ１２８により回転駆動される。一方、収納部１２２内の水蒸気を排出する経路として、前記収納部１２２に連通する吸気通路１０３および排気通路１３６が形成され、前記両通路間に、図６のような金属パイプ１０１に帯状の金属薄板を螺旋状に巻回して形成したフィン１０２に触媒を担持し、このフィン１０２を配置して金属パイプ１０１内に装着した触媒ヒータ１０８で触媒を加熱して臭気成分を酸化分解する脱臭装置１３７が設置されている。収納部１２２の天面には吸気口１３３、排気通路１３６の後方には排気ファン１３４が設置されている。１３５は回転軸１２３を駆動する駆動モータである。
【０００３】
上記従来の生ごみ処理機において、生ごみ処理機本体１２１の運転（生ごみの加熱）と同時に脱臭装置１３７の触媒ヒータ１０８により触媒が加熱され、排気ファン１３４も作動すると、吸気口１３３から外気が吸引され、収納部１２２内の臭気を含む空気を脱臭装置１３７で脱臭し、外部に排気する。
【０００４】
【発明が解決しようとする課題】
しかしながら上記従来の構成では、浄化能力を高めるためには、所定値以上の発熱量を有する触媒ヒータ１０８が必要で、また、触媒ヒータ１０８が一個であるため、常に上記発熱量を発することになり、触媒ヒータ１０８の消費電力によるランニングコストが高くなるという課題を有していた。
【０００５】
本発明は上記課題を解決するもので、浄化能力を低下させることなく、触媒ヒータの消費電力によるランニングコストを低減した脱臭装置およびそれを備えた厨芥処理機を提供することを目的とするものである。
【０００６】
【課題を解決するための手段】
上記目的を達成するために本発明は、Ｕ字形状の複数の触媒ヒータと、前記触媒ヒータにより加熱され複数の孔を有する熱伝導性薄板を複数固定して形成し触媒を担持したフィンと、前記孔に熱伝導性パイプを挿入して、前記熱伝導性パイプ内に装着した触媒ヒータと、前記触媒ヒータのＵ字部分を下方にしてフィンとともに収納するケースと、前記ケースの上下方向に沿って配設された入り口パイプと、前記ケースの上方に設けられた出口パイプとを備え、排ガスは前記入り口パイプの下方側より前記ケース内に流入し、前記ケース内を上昇して、前記出口パイプより排出される構成とし、かつ前記複数の触媒ヒータの通電を切り換え可能としたもので、浄化能力を低下させることなく、触媒ヒータの消費電力によるランニングコストを低減した脱臭装置およびそれを備えた厨芥処理機を提供できる。
【０００７】
【発明の実施の形態】
本発明の請求項１記載の発明は、Ｕ字形状の複数の触媒ヒータと、前記触媒ヒータにより加熱され複数の孔を有する熱伝導性薄板を複数固定して形成し触媒を担持したフィンと、前記孔に熱伝導性パイプを挿入して、前記熱伝導性パイプ内に装着した触媒ヒータと、前記触媒ヒータのＵ字部分を下方にしてフィンとともに収納するケースと、前記ケースの上下方向に沿って配設された入り口パイプと、前記ケースの上方に設けられた出口パイプとを備え、排ガスは前記入り口パイプの下方側より前記ケース内に流入し、前記ケース内を上昇して、前記出口パイプより排出される構成とし、かつ前記複数の触媒ヒータの通電を切り換え可能としたもので、浄化能力を低下させることなく、触媒ヒータの消費電力によるランニングコストを低減した脱臭装置およびそれを備えた厨芥処理機を提供できる。
【０００８】
本発明の請求項２記載の発明は、上記請求項１記載の発明において、排ガスの流れに対し上流側のフィンになるほど、触媒ヒータのワット密度を大きくさせるもので、温度上昇の遅い排ガス入り口近傍でのフィンの温度を短時間で高めることで、短時間で触媒フィンを効率的に暖めることができる。
【０００９】
本発明の請求項３記載の発明は、上記請求項１または２に記載の発明において、温度検出部を触媒ケースの排気流入部近傍に設けたもので、精度の高い脱臭装置の温度制御ができる。
【００１０】
本発明の請求項４記載の発明は、浄化能力を低下させることなく、触媒ヒータの消費電力によるランニングコストを低減した脱臭装置を備えた厨芥処理機を提供できる。
【００１１】
【実施例】
以下、本発明の一実施例について添付図面をもとに説明する。なお、生ごみ処理機については、動作は従来例と同様なので説明は省略する。図１〜図４において、６個の孔３を設けた円形の熱伝導性薄板５を複数固定してフィン２を形成し、フィン２の表面には触媒を担持している。前記孔３には金属性からなる熱伝導性パイプ１を挿入するとともに、前記熱伝導性パイプ１内にはＵ字形状の触媒ヒータ８を３本装着してある。図３に基づいて、前記３本の触媒ヒータ８の配置について説明すると、手前側には触媒ヒータ８ａ、その後方には触媒ヒータ８ｂ、さらに前記触媒ヒータ８ｂの後方には、残りのヒータが配設されている。
【００１２】
また、それぞれの触媒ヒータ８のうち２本の触媒ヒータ８ａ、８ｂは、その発熱箇所が異なり、本実施例においては、一方の触媒ヒータ８ａは全体が発熱し、他方の触媒ヒータ８ｂは下方のＵ字部分のみが発熱する構成を成している。また、制御部（図示せず）により触媒ヒータ８の通電が切り替えられるよう構成している。また、フィン２の外周には金属の網９を巻き、更にその外周にはシール用断熱材１０を巻いている。そして、前記熱伝導性パイプ１およびフィン２のユニットはケース４に挿入されることで、脱臭装置７を形成している。
【００１３】
１３は排ガスの吸気通路であるケース４の入り口パイプ、６は排ガスの排気通路である出口パイプで、フィン２の表面には排ガス通路用の通気口（図示せず）が設けてある。図１、図２に基づいて、前記排ガスの流れについて説明すると、前記排ガスは、ケース４の上下方向に沿って配設された（図１の破線で表示）入り口パイプ１３の下方側の開口部より、ケース４内に流入し、その後、前記排ガス通路用の通気口を通り、フィン２を通過しながら、ケース４内を下方から上方に向かい上昇していき、ケース４の上方に設けられた出口パイプ６より排出する。
【００１４】
さらに、フィン２の下流側になるに従って、触媒ヒータ８のワット密度が小さくなるような構成となっている。また、ケース４の排ガスの入り口パイプ１３に温度検出部１１を設けている。温度検出部１１は入り口パイプ１３の温度を検知し、ケース４内で異常燃焼が起きた時、触媒ヒータ８の通電を停止、あるいは、生ごみ処理機本体の通電を停止して触媒ヒータ８の断線や、脱臭装置の損傷を防止するものである。
【００１５】
上記構成において、フィン２の下流側になるに従って触媒ヒータ８のワット密度が小さくなるような構成となっている、いわゆる上流側において、ワット密度が大きくなっていることで、排ガスがフィン２を通過する前に主に加熱され、加熱された前記排ガスが前記フィン２を通過することで、前記フィン２の熱分布の均一化を図り、浄化能力をより高めることができる。
【００１６】
また、一方の触媒ヒータ８ａは全体が発熱し、他方の触媒ヒータ８ｂは下方のＵ字部分のみが発熱する構成を成していて、触媒を活性化するまでは全体が発熱する触媒ヒータ８ａを用いて短時間でフィン２を加熱し、触媒を活性化した後には下方のＵ字部分のみが発熱する触媒ヒータ８ｂを用いて、排ガスがフィン２を通過する前に主に加熱され、加熱された前記排ガスが前記フィン２を通過することで、前記フィン２の熱分布の均一化を図り、浄化能力をより高めるものである。
【００１７】
また、温度検出部１１をケース４より離れた入り口パイプ１３に設けているため、ケース４内で異常燃焼が起きても温度検出部１１の寿命に影響するような高温になることはない。温度検出部１１は入り口パイプ１３に溶接やネジ止等で取り付けられたばね製の保持板１２より温度検出部１１が入り口パイプ１３に常に密着するように取り付けられているので、ケース４内で異常燃焼が生じるときの入り口パイプ１３を把握しておけば確実な温度検出ができる。
【００１８】
【発明の効果】
本発明によれば、浄化能力を低下させることなく、触媒ヒータの消費電力によるランニングコストを低減した脱臭装置およびそれを備えた厨芥処理機を提供できる。
【図面の簡単な説明】
【図１】  本発明の一実施例の脱臭装置の側面図
【図２】  同脱臭装置の側断面図
【図３】  同触媒ユニットの側面図
【図４】  同温度検出部の部分拡大図
【図５】  従来の生ごみ処理機の断面図
【図６】  同脱臭装置の断面図
【符号の説明】
１  熱伝導性パイプ
２  フィン
３  孔
４  ケース
５  熱伝導性薄板
８  触媒ヒータ
【図１】
0003724384.tif 000002
【図２】
0003724384.tif 000003
【図３】
0003724384.tif 000004
【図４】
0003724384.tif 000005
【図５】
0003724384.tif 000006
【図６】
0003724384.tif 000007